(57)【要約】      （修正有）【課題】  視聴者が所望する情報を適切な情報の取得先から取得して表示するテレビ放送受信装置及びその制御方法を提供する。【解決手段】  チューナー部１０１は放送波を受信して、分離部１０２は放送波から番組情報を取り出す。ＳＩ処理部１０５は番組情報から視聴中の番組の番組ジャンル情報を抽出する。表示情報制御部１１０は、複数の番組ジャンルと、前記番組ジャンルの夫々に対応する表示項目及び取得先情報を保持しており、視聴中の番組の番組ジャンルに対応する表示項目と取得先情報を、保持している情報から読み出す。そして、表示情報制御部１１０は、表示項目に該当する情報を取得先情報が示す取得先から取得して、映像表示部１１３に表示させるように制御する。【選択図】  図１
2009124246.tif 000002
【特許請求の範囲】
【請求項１】
放送波から番組情報を受信する受信手段と、
複数の番組ジャンルと前記番組ジャンルの夫々に対応する表示項目及び取得先情報を保持する保持手段と、
前記受信手段により受信された番組情報から視聴中の番組の番組ジャンル情報を抽出する番組ジャンル抽出手段と、
前記番組ジャンル情報が示す番組ジャンルに対応する、前記表示項目及び前記取得先情報を前記保持手段から読み出して、該表示項目に該当する情報を該取得先情報が示す取得先から取得する情報取得手段と、
前記情報取得手段により取得された表示項目に該当する情報を表示部に対して表示させるように制御する制御手段と、
を有することを特徴とするテレビ放送受信装置。
【請求項２】
前記保持手段が保持する取得先情報は、前記保持手段が保持する番組ジャンルの夫々に対して、複数対応付けられており、
前記情報取得手段は、前記保持手段から読み出した表示項目に該当する情報を前記取得先から取得することができない場合は、前記取得先とは異なる、前記番組ジャンル情報が示す番組ジャンルに対応する取得先情報が示す取得先から、該表示項目に該当する情報を取得することを特徴とする請求項１に記載のテレビ放送受信装置。
【請求項３】
前記保持手段が保持する取得先情報は、優先順位が付与されており、
前記情報取得手段は、前記保持手段から読み出した表示項目に該当する情報を取得する取得先を、前記優先順位に従って選択することを特徴とする請求項２に記載のテレビ放送受信装置。
【請求項４】
複数の番組ジャンルと前記番組ジャンルの夫々に対応する表示項目及び取得先情報を保持する保持部を有するテレビ放送受信装置の制御方法であって、
放送波から番組情報を受信する受信工程と、
前記受信工程により受信された番組情報から視聴中の番組の番組ジャンル情報を抽出する番組ジャンル抽出工程と、
前記番組ジャンル情報が示す番組ジャンルに対応する、前記表示項目及び前記取得先情報を前記保持部から読み出して、該表示項目に該当する情報を該取得先情報が示す取得先から取得する情報取得工程と、
前記情報取得工程により取得された表示項目に該当する情報を表示部に対して表示させるように制御する制御工程と、
を有することを特徴とするテレビ放送受信装置の制御方法。
【請求項５】
前記保持部が保持する取得先情報は、前記保持部が保持する番組ジャンルの夫々に対して、複数対応付けられており、
前記情報取得工程は、前記保持部から読み出した表示項目に該当する情報を前記取得先から取得することができない場合は、前記取得先とは異なる、前記番組ジャンル情報が示す番組ジャンルに対応する取得先情報が示す取得先から、該表示項目に該当する情報を取得することを特徴とする請求項４に記載のテレビ放送受信装置の制御方法。
【請求項６】
前記保持部が保持する取得先情報は、優先順位が付与されており、
前記情報取得工程は、前記保持部から読み出した表示項目に該当する情報を取得する取得先を、前記優先順位に従って選択することを特徴とする請求項５に記載のテレビ放送受信装置の制御方法。
【発明の詳細な説明】
【技術分野】
【０００１】
本発明は、情報の取得先を番組の内容に応じて選択して、選択した情報の取得先から情報を取得するテレビ放送受信装置及びその制御方法に関する。
【背景技術】
【０００２】
放送波には番組名、番組内容等の情報が記述された番組情報が含まれており、インターネットではドラマの出演者、前回のあらすじ等の情報が公開されている。これらの情報は番組に対する視聴者の理解・認識を深めるのに役立ち、視聴者が番組視聴をする上でこれらの情報を知ることは有益である。
【０００３】
このため、放送波を受信してテレビ番組を画面に表示することに加え、放送波又はインターネットから情報を取得して画面に表示するテレビ放送受信装置においては、番組視聴に有益な情報を取得し、視聴者に表示する必要がある。
【０００４】
従来、放送波又はインターネットから情報を取得してテレビ画面に表示する技術として、特許文献１には、データ放送あるいはインターネットのウェブサイトから取得した情報を表示する技術が記載されている。これは、予め登録されたデータ放送又は予め登録されたウェブサイトから最新の情報を取得して、視聴中の番組映像に合成して画面に表示するものである。
【特許文献１】特開２００４−１７９９４９号公報
【発明の開示】
【発明が解決しようとする課題】
【０００５】
一般的に視聴者は、ニュースを視聴している場合は番組の出演者に対する関心は低く、ドラマなどを視聴している場合は番組の出演者に対する関心は高くなる。このように、視聴している番組によって、視聴者の所望する情報は変化する。また、一般的に情報の取得先が異なると、提供されている情報も異なる場合がある。なお、ここで情報の取得先とは放送波やインターネット等を意味する。
【０００６】
従って、視聴している番組によって、情報の取得先を適切に選択することは重要である。
【０００７】
しかしながら、特許文献１で開示されている技術では、予め登録された情報の取得先から最新の情報を取得しているが、視聴中の番組の内容と関連付けて、情報の取得先を選択する手段がない。なお、ここで番組の内容とは、例えば、ドラマやスポーツ等を意味する。このため、視聴者の所望する情報を取得して表示することができない場合があるという問題があった。
【０００８】
本発明は、上記課題を解決するためになされたもので、視聴者が所望する情報を適切な情報の取得先から取得して表示するテレビ放送受信装置及びその制御方法を提供し、視聴者の利便性を向上させることを目的とする。
【課題を解決するための手段】
【０００９】
上記目的を達成するために、本発明のテレビ放送受信装置は、放送波から番組情報を受信する受信手段と、複数の番組ジャンルと前記番組ジャンルの夫々に対応する表示項目及び取得先情報を保持する保持手段と、前記受信手段により受信された番組情報から視聴中の番組の番組ジャンル情報を抽出する番組ジャンル抽出手段と、前記番組ジャンル情報が示す番組ジャンルに対応する、前記表示項目及び前記取得先情報を前記保持手段から読み出して、該表示項目に該当する情報を該取得先情報が示す取得先から取得する情報取得手段と、前記情報取得手段により取得された表示項目に該当する情報を表示部に対して表示させるように制御する制御手段と、を有する。
【００１０】
また、上記目的を達成するために、本発明のテレビ放送受信装置の制御方法は、複数の番組ジャンルと前記番組ジャンルの夫々に対応する表示項目及び取得先情報を保持する保持部を有するテレビ放送受信装置の制御方法であって、放送波から番組情報を受信する受信工程と、前記受信工程により受信された番組情報から視聴中の番組の番組ジャンル情報を抽出する番組ジャンル抽出手段と、前記番組ジャンル情報が示す番組ジャンルに対応する、前記表示項目及び前記取得先情報を前記保持部から読み出して、該表示項目に該当する情報を該取得先情報が示す取得先から取得する情報取得工程と、前記情報取得工程により取得された表示項目に該当する情報を表示部に対して表示させるように制御する制御工程と、を有する。
【発明の効果】
【００１１】
以上説明したように、本発明は、視聴者が所望する情報を適切な情報の取得先から取得、表示して、視聴者の利便性を向上させることを可能とする。
【発明を実施するための最良の形態】
【００１２】
（実施例１）
図１は本発明の実施例１に係るデジタルテレビ放送受信装置の概略構成を示すブロック図である。
【００１３】
このデジタルテレビ放送受信装置において、アンテナにより受信された信号はチューナ部１０１に入力される。チューナ部１０１は、入力された信号に対して、復調、誤り訂正等の処理を施し、トランスポートストリーム（ＴＳ）と呼ばれる形式のデジタルデータを生成する。
【００１４】
分離部１０２は、チューナ部１０１より入力されたＴＳから音声データ、映像データ、ＳＩ（Ｓｅｒｖｉｃｅ  Ｉｎｆｏｒｍａｔｉｏｎ）、データ放送データを取り出す。なお、ＳＩは、ＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）等から構成されている。ＳＤＴには、編成チャンネルの名称、放送事業者の名称等を示す情報のような、編成チャンネルに関する情報が記されている。また、ＥＩＴには、図２に示すような、番組名、番組ジャンル、出演者等を示す情報が記されている。そして、音声データは音声デコード部１０３に、映像データは映像デコード部１０４に、ＳＩはＳＩ処理部１０５に、データ放送データはデータ放送処理部１０６に出力する。
【００１５】
音声デコード部１０３は分離部１０２より入力された音声データをデコードし、デコードした音声データを音声出力部１１２に出力する。
【００１６】
映像デコード部１０４は分離部１０２より入力された映像データをデコードし、デコードした映像データを合成部１１１に出力する。
【００１７】
ＳＩ処理部１０５は、分離部１０２より入力されたＳＤＴ、ＥＩＴ等から構成されているＳＩをデコードして、デコードしたＳＩをデータ蓄積部１０９に出力し、蓄積させる。ＳＩ処理部１０５は、表示情報制御部１１０から指示された場合は、データ蓄積部１０９に蓄積されたＥＩＴから視聴中の番組に関する適切な情報を取得して、表示情報制御部１１０へ出力する。具体的には、ＳＩ処理部１０５は、番組ジャンル抽出機能を有し、番組情報としてのＥＩＴから視聴中の番組の番組ジャンル情報を抽出して、表示情報制御部１１０へ出力する。番組ジャンル情報以外にも、ＳＩ処理部１０５は、出演者等を示す情報をＥＩＴから取得して表示情報制御部１１０へ出力する。また、ＳＩ処理部１０５は、インターネット処理部１０８から指示された場合は、データ蓄積部１０９に蓄積されたＥＩＴから視聴中の番組名を示す情報を取得して、インターネット処理部１０８に出力する。また、ＳＩ処理部１０５は、インターネット処理部１０８から指示された場合は、データ蓄積部１０９に蓄積されたＳＤＴから、視聴中の番組の放送事業者の名称を示す情報を取得して、インターネット処理部１０８に出力する。
【００１８】
データ放送処理部１０６は、分離部１０２により入力されたデータ放送データをデコードして、データ蓄積部１０９に出力し、蓄積させる。更に、データ放送処理部１０６は、表示情報制御部１１０からの指示によって、データ蓄積部１０９に蓄積されたデータ放送データから視聴中の番組に関する適切な情報を取得し、表示情報制御部１１０へ出力する。
【００１９】
インターネット通信部１０７は、インターネットとの通信を制御する。インターネット通信部１０７は、後述するインターネット処理部１０８により通知された視聴中の番組の番組名を示す情報とＩＰ（Ｉｎｔｅｒｎｅｔ  Ｐｒｏｔｏｃｏｌ）アドレスとに基づいて、視聴中の番組に関する情報をダウンロードする。そして、インターネット処理部１０８は、ダウンロードした情報をインターネット処理部１０８へ出力する。
【００２０】
インターネット処理部１０８は、表示情報制御部１１０から情報の取得を指示された場合は、インターネット通信部１０７に指示して、インターネット上のサーバから視聴中の番組に関する適切な情報を取得して、表示情報制御部１１０へ出力する。インターネット上には、番組に関する情報を提供するサーバが複数存在する。これらのサーバは各放送事業者によって運用されるものであり、各サーバが提供する情報には、ＥＩＴに含まれていない情報が含まれている。インターネット処理部１０８は、図３に示すような、放送事業者を特定する情報と、対応する放送事業者が提供するサーバのＩＰアドレスを対応付けたテーブルを保持している。ここで本実施例における、放送事業者を特定する情報は、放送事業者の名称を示す情報であり、図３に示すテーブルは予め定められたものである。なお、放送事業者を特定する情報は、放送事業者の名称を示す情報に限られるものではない。放送事業者を特定できる情報であれば他のものでもよい。インターネット処理部１０８は、ＳＩ処理部１０５に問い合わせることで視聴中の番組の放送事業者の名称を示す情報を取得する。そして、インターネット処理部１０８は、視聴中の番組の放送事業者の名称を示す情報に対応するＩＰアドレスを図３に示すテーブルから選択して、インターネット通信部１０７に通知する。この際、インターネット処理部１０８は、ＳＩ処理部１０５に問い合わせることで取得した視聴中の番組の番組名を示す情報も、インターネット通信部１０７に通知する。
【００２１】
データ蓄積部１０９は、ＳＩ処理部１０５により入力されたＳＩ、及びデータ放送処理部１０６により入力されたデータ放送データを蓄積する。
【００２２】
表示情報制御部１１０は、ＳＩ処理部１０５から視聴中の番組の番組ジャンル情報を抽出する。表示情報制御部１１０は、保持部としての機能を有しており、番組ジャンルと、対応する取得先情報及び表示項目を示す情報を対応付けた、図４に示すテーブルを保持している。このテーブルは予め定められたものである。なお、ここで取得先情報とは、情報の取得先を示す情報であり、表示情報制御部１１０は、取得先情報に応じて、表示項目に該当する情報の取得先を選択する。図４に示すテーブルには、取得先情報として、ＥＩＴ又はインターネットを示す情報のいずれかが記述されている。表示情報制御部１１０は、視聴中の番組の番組ジャンルに対応する取得先情報及び表示項目を示す情報を、図４に示すテーブルから読み出す。そして、表示情報制御部１１０は、取得先情報に応じて取得先を選択して、選択した取得先から表示項目に該当する情報を取得する。ここで「表示項目に該当する情報」とは、表示項目に対応付けられた識別子を付加された情報であり、表示項目に該当する情報を取得する場合は、該識別子を付加された情報を取得する。なお、本実施例においては、表示項目に対応付けられたタグを、表示項目に該当する情報に付加している。更に、表示情報制御部１１０は、表示項目に該当する情報を合成部１１１に出力する。このような表示情報制御処理については、図６を用いて後述する。番組ジャンルに応じて視聴者の所望する情報は変化する。しかし、視聴者の所望する情報は、常にＥＩＴに含まれているわけではなく、インターネット上の情報に含まれている場合もある。そこで、上記のように、表示情報制御部１１０は、番組ジャンルに応じて情報の取得先を選択する。
【００２３】
合成部１１１では映像デコード部１０４から入力された映像データと表示情報制御部１１０から入力された情報を合成した映像を映像表示部１１３に出力する。映像表示部１１３は入力された映像を表示する。
【００２４】
このようにして構成されるデジタルテレビ放送受信装置のテレビ画面の表示例を図５に示す。図５は、ドラマ番組表示中にドラマの出演者情報を画面下部に重畳して表示している例である。
【００２５】
次に表示情報制御部１１０における表示情報制御処理について説明する。図６は、表示情報制御部１１０における表示情報制御処理を示すフローチャートである。
【００２６】
ステップＳ２０１では、表示情報制御部１１０は、現在が情報を表示すべきタイミングであるかの判断を行う。表示すべきタイミングの具体例としては、電源オン時、選局時、新しい番組が開始された時、視聴者からの表示指示があった時等が考えられる。これらのタイミングでは、視聴者は番組の視聴を始めたばかり等の状態であり、番組についての理解、認識が不足しているため、番組に関する情報を必要としていると考えられる。このようなタイミングで、番組に関する情報を表示することで、視聴者の番組内容の理解、認識不足を速やかに解消することができる。情報を表示すべきタイミングであると判断した場合は、ステップＳ２０２に進む。
【００２７】
ステップＳ２０２では、現在、映像表示部１１３に表示している番組、つまり視聴中の番組の番組ジャンル情報をＳＩ処理部１０５から抽出する。
【００２８】
ステップＳ２０３では、表示情報制御部１１０は、視聴中の番組ジャンルに対応する取得先情報を、図４に示すテーブルから読み出す。表示情報制御部１１０は、取得先情報が「ＥＩＴ」の場合はＳＩ処理部１０５を選択する。表示情報制御部１１０は、取得先情報が「インターネット」の場合は、インターネット処理部１０８を選択する。
【００２９】
ステップＳ２０４では、表示情報制御部１１０は、番組ジャンルに対応する表示項目を図４に示すテーブルから読み出す。そして、表示情報制御部１１０は、ステップＳ２０３で選択した処理部に対して、読み出した表示項目を通知することで、表示項目に該当する情報を、ステップＳ２０３で選択した処理部から取得する。
【００３０】
最後に、ステップＳ２０５では、表示情報制御部１１０は、取得した、表示項目に該当する情報を合成部１１１へ出力して、再び最初（Ｓ２０１）に戻る。
【００３１】
一般的に視聴者は、ニュースを視聴している場合は番組の出演者に対する関心は低く、ドラマなどを視聴している場合は番組の出演者に対する関心は高くなる。このため、視聴している番組によって、視聴者の所望する情報は変化する。また、一般的に情報の取得先が異なると、提供されている情報も異なる場合がある。よって、視聴者の所望する情報によって、当該情報を取得する取得先を適切に選択する必要がある。従って、上述のように、視聴中の番組の番組ジャンルに応じて、情報の取得先を選択することで、視聴者が所望する情報を確実に取得して表示することが可能となり、視聴者の利便性を向上させることが可能となる。
【００３２】
インターネット処理部１０８は、インターネット上の番組に関する情報を提供するサーバから視聴中の番組に関する情報を取得する。そして、インターネット処理部１０８は、サーバから取得した情報の中から、表示情報制御部１１０から指示された表示項目に該当する情報を、表示情報制御部１１０に出力する。このような表示情報取得処理について、図７のフローチャートを用いて説明する。
【００３３】
ステップＳ３０１では、インターネット処理部１０８は、図３に示すテーブルを参照して、視聴中の番組の放送事業者の名称に対応するＩＰアドレスを選択する。インターネット処理部１０８は、ＳＩ処理部１０５に問い合わせることで、視聴中の番組の放送事業者の名称を取得する。
【００３４】
ステップＳ３０２では、インターネット処理部１０８は、ステップＳ３０１で選択したＩＰアドレスとＳＩ処理部１０５から取得した視聴中の番組の番組名とをインターネット通信部１０７に通知することで、視聴中の番組に関する情報の取得を指示する。インターネット通信部１０７は、通知されたＩＰアドレスに基づいて放送事業者が提供するサーバにアクセスして、通知された番組名に基づいて視聴中の番組に関する情報をダウンロードする。前述した、インターネット上にある、番組に関する情報を提供するサーバは、番組毎に、該番組に関する情報（会場、選手、公演情報、音楽ＣＤ情報など）を格納した、図８に示すような、ファイルを保持している。該サーバは、インターネット通信部１０７から番組名を通知されると、該番組に関する情報を格納したファイルの該サーバ上の位置情報をインターネット通信部１０７に通知する。インターネット通信部１０７は、通知された位置情報に基づいて、該サーバからファイルをダウンロードして、インターネット処理部１０８に出力する。図８に示すファイルに記載されているタグは、表示項目と対応付けられており、予め定められたものである。たとえば、表示項目「会場」にはタグ「＜ｐｌａｃｅ＞」が対応し、表示項目「出場選手」にはタグ「＜ｐｌａｙｅｒ＞」が対応する。なお、本実施例では、番組に関する情報を提供するサーバを放送事業者が運用しているが、該サーバを運用するのは放送事業者に限られるものではない。たとえば、テレビ情報誌の出版社でも良い。この場合、インターネット処理部１０８は、予め設定された出版社の運用するサーバのＩＰアドレスを保持しており、該ＩＰアドレスをインターネット通信部１０７に通知する。また、本実施例では、番組に関する情報をファイルに格納したが、ファイルに限るものではない。たとえば、データベースマネジメントシステム（ＤＢＭＳ）でも良い。インターネット通信部１０７は、出版社の運用するサーバ上で稼動しているＤＢＭＳに問い合わせをすることで番組に関する情報を取得して、インターネット処理部１０８に出力する。
【００３５】
ステップＳ３０３では、インターネット処理部１０８は、インターネット通信部１０７により入力されたファイルを参照して、表示情報制御部１１０に指示された表示項目に該当する情報を取得する。たとえば、図８に示すファイルにおいて、表示項目が「出場選手」の場合は、開始タグ＜ｐｌａｙｅｒ＞と終了タグ＜／ｐｌａｙｅｒ＞との間に記載された情報「△△一郎、□□二郎」を取得する。
【００３６】
ステップＳ３０４では、ステップ３０３で取得した情報を、表示情報制御部１１０に対して出力する。
【００３７】
なお、本実施例では、表示項目に該当する情報を取得したが、取得する情報はこれに限られるものではない。たとえば、表示情報制御部１１０から指示された表示項目が「ニューストピック」の場合は、新聞社等がヘッドライン情報を配信しているＲＳＳ（ＲＤＦ  Ｓｉｔｅ  Ｓｕｍｍａｒｙ）のデータをそのまま表示情報制御部１１０に出力しても良い。また、本実施例では、ＥＩＴとインターネットを情報の取得先としているが、情報の取得先はこれらに限られるものではない。たとえば、データ放送でも良い。この場合、放送事業者は、表示項目に対応付けられたタグを用いて、番組に関する情報をデータ放送に含まれるＢＭＬ（Ｂｒｏａｄｃａｓｔ  Ｍａｒｋｕｐ  Ｌａｎｇｕａｇｅ）に記述する。そして、データ放送処理部１０６は、表示情報制御部１１０からの指示によって、ＢＭＬを参照して、表示情報制御部１１０から指示された表示項目に対応する開始タグと終了タグとの間に記載された情報を取得して、表示情報制御部１１０に出力する。
【００３８】
なお、本実施例において、番組ジャンルを区分する際に、より詳細に区分しても良い。例えばドラマの中でも、国内ドラマ、海外ドラマ、時代劇などによって情報の取得先を変えても良い。
【００３９】
（実施例２）
本発明の第２の実施例は第１の実施例に係る表示情報制御部１１０に異なる特徴を有するものである。また、本実施例では、情報の取得先として、ＥＩＴ、インターネットのみならず、データ放送も想定する。
【００４０】
以下、第２の実施例に係る説明は第１の実施例との相違点についてのみ説明する。
【００４１】
第２の実施例において、表示情報制御部１１０が保持する取得先情報は、番組ジャンルの夫々に対して、優先順位を付与されて複数対応付けられている。具体的には、表示情報制御部１１０は、複数の番組ジャンルと、該番組ジャンルに対応する表示項目を示す情報及び第１の取得先情報及び第２の取得先情報及び第３の取得先情報とを対応付けた、図９に示すようなテーブルを保持する。ここで、「第１の取得先情報」は優先順位が第１位の取得先を示す情報であり、「第２の情報取得先」は優先順位が第２位の取得先を示す情報であり、「第３の情報取得先」は優先順位が第３位の取得先を示す。表示情報制御部１１０は、図９に示すテーブルを参照して、該優先順位に従って、情報の取得先を選択する。
【００４２】
本実施例において、表示情報制御部１１０は、ある情報の取得先から表示項目に該当する情報を取得することができなかった場合に、別の情報の取得先から表示項目に該当する情報を取得することを特徴とする。このような処理を、図１０を用いて説明する。
【００４３】
ステップＳ４０１〜Ｓ４０２は、図６に示すステップＳ２０１〜Ｓ２０２と同様であるので、その説明を省略する。
【００４４】
ステップＳ４０３では、表示情報制御部１１０は、視聴中の番組の番組ジャンルに対応する表示項目を図９に示すテーブルから読み出す。また、表示情報制御部１１０は、視聴中の番組の番組ジャンルに対応する「第１の取得先情報」を図９に示すテーブルから読み出して、適切な処理部を選択する。処理部の選択においては、表示情報制御部１１０は、第１の取得先情報が「ＥＩＴ」の場合はＳＩ処理部１０５を選択して、第１の取得先情報が「インターネット」の場合はインターネット処理部１０８を選択する。更に、表示情報制御部１１０は、第１の取得先情報が「データ放送」の場合は、データ放送処理部１０６を選択する。
【００４５】
ステップＳ４０４では、表示情報制御部１１０は、ステップＳ４０３で選択された処理部がデータ放送処理部１０６か否かを判定する。表示情報制御部１１０は、データ放送処理部１０６である場合はステップＳ４０５に進み、データ放送処理部１０６でない場合はステップＳ４０６に進む。
【００４６】
ステップＳ４０５では、表示情報制御部１１０は、視聴中の番組にデータ放送が存在するかどうかをデータ放送処理部１０６に問い合わせる。表示情報制御部１１０は、データ放送が存在する場合はステップＳ４０６に進み、存在しない場合はステップＳ４０９に進む。このように、データ放送処理部１０６から情報を取得する前に、データ放送の存否を確認することで、データ放送が存在しないにも関わらず、表示項目に該当する情報をデータ放送から取得する処理を実行することを避けることが可能となる。この結果、効率良く情報を取得することができる。
【００４７】
ステップＳ４０６では、表示情報制御部１１０は、選択した処理部に対して、読み出した表示項目を示す情報を通知することで、表示項目に該当する情報を取得する。
【００４８】
ステップＳ４０７では、表示情報制御部１１０は、ステップＳ４０７で表示項目に該当する情報が取得できたかを判定する。表示情報制御部１１０は、情報が取得できている場合はステップＳ４０８に進み、情報が取得できていない場合はステップＳ４０９に進む。
【００４９】
ステップＳ４０８では、表示情報制御部１１０は、取得した、表示項目に該当する情報を合成部１１１へ出力して、再び最初（Ｓ４０１）に戻る。
【００５０】
ステップＳ４０９では、表示情報制御部１１０は、全ての処理部から表示項目に該当する情報の取得を試みたかを判定する。表示情報制御部１１０は、全ての処理部から情報の取得を試みた場合は、ステップＳ４１０に進み、試みていない場合はステップＳ４１１に進む。
【００５１】
ステップＳ４１０では、表示情報制御部１１０は、必ず取得できる番組名を表示項目に該当する情報としてＳＩ処理部１０５から取得する。なお、表示項目に該当する情報を全ての処理部から取得できない場合に取得する情報は番組名でなくとも良い。ＥＩＴから必ず取得できる番組名のように、必ず取得できる情報であれば他の情報でも良い。
【００５２】
ステップＳ４１１では、表示情報制御部１１０は、視聴中の番組の番組ジャンルに応じて、適切な処理部を再選択する。表示情報制御部１１０は、第１の取得先情報が示す取得先から表示項目に該当する情報が取得できなかった場合は、図９に示すテーブルを参照して、番組ジャンルに対応する第２の取得先情報に基づいて、適切な処理部を再選択する。また、表示情報制御部１１０は、第２の取得先情報が示す取得先から表示項目に該当する情報が取得できなかった場合は、図９に示すテーブルを参照して、番組ジャンルに対応する第３の取得先情報に基づいて、適切な処理部を再選択する。
【００５３】
以上のように、表示情報制御部１１０は、番組ジャンルに応じて情報の取得先の優先順位を変え、該優先順位に従って情報の取得先を再選択することで、表示項目に該当する情報の高確率かつ効率的な取得を試みる。
【００５４】
ＥＩＴには、番組名等のように必ず記述されている情報もあるが、放送事業者の任意の情報もある。また、放送事業者が提供するインターネット上のサーバやＢＭＬにおいても、情報の内容は、放送事業者の自由に任せられている。このため、ある情報の取得先から表示項目に該当する情報の取得を試みても、常に取得できるわけではない。そこで、上記のような処理によって、視聴者の欲する情報がある情報の取得先から取得できない場合でも、別の情報の取得先から同様の情報の取得を試みることで、視聴者の欲する情報を取得できる可能性が高まる。この結果、視聴者の所望する情報を表示できる可能性が高まり、視聴者の利便性を向上させることが可能となる。
【００５５】
また、前述したように、番組ジャンルに応じて視聴者の所望する情報は変化する。一般的に情報の取得先が異なれば、その取得先が提供する情報も異なる場合があり、視聴者の所望する情報を取得できる可能性は、情報の取得先によって異なる場合がある。このように、番組ジャンルに応じて情報の取得先を選択する順番を変化させることで、所望の情報が存在する可能性の高い取得先から順番に情報の取得を試みることが可能となる。この結果、効率的に情報を探すことができ、視聴者の利便性を向上させることが可能となる。
【図面の簡単な説明】
【００５６】
【図１】本発明の第１の実施例に係るデジタルテレビ放送受信装置の概略構成を示すブロック図である。
【図２】本発明の第１の実施例に係るＥＩＴの例である。
【図３】本発明の第１の実施例に係る、放送事業者を特定する情報と放送事業者が提供するサーバのＩＰアドレスとを対応付けたテーブルである。
【図４】本発明の第１の実施例に係る、番組ジャンルと、対応する取得先情報及び表示項目を示す情報を対応付けたテーブルである。
【図５】本発明の第１の実施例に係るデジタルテレビ放送受信装置の表示例である。
【図６】本発明の第１の実施例に係る表示情報制御処理を示すフローチャートである。
【図７】本発明の第１の実施例に係る表示情報取得処理を示すフローチャートである。
【図８】本発明の第１の実施例に係る、番組に関する情報が格納されたファイルである。
【図９】本発明の第２の実施例に係る、番組ジャンルと、対応する表示項目及び第１の取得先情報及び第２の取得先情報及び第３の取得先情報とを対応付けたテーブルである。
【図１０】本発明の第２の実施例に係る表示情報制御処理を示すフローチャートである。
【符号の説明】
【００５７】
１０１  チューナ部
１０２  分離部
１０５  ＳＩ処理部
１０７  インターネット通信部
１０８  インターネット処理部
１１０  表示情報制御部
１１１  合成部
【図１】
2009124246.tif 000003
【図２】
2009124246.tif 000004
【図３】
2009124246.tif 000005
【図４】
2009124246.tif 000006
【図５】
2009124246.tif 000007
【図６】
2009124246.tif 000008
【図７】
2009124246.tif 000009
【図８】
2009124246.tif 000010
【図９】
2009124246.tif 000011
【図１０】
2009124246.tif 000012